(57)【要約】【課題】屋内などの限られた場所だけではなく、屋外や乗り物の中など任意の場所で自分のリズムで音響を発生させて楽しむことができる音響発生装置を提供すること。【解決手段】音響発生装置Ａを装置本体１と、この装置本体１を棒状部分を有する取付対象Ｂに取り付ける取付手段２とから構成し、上記装置本体１には、複数の演奏ボタン３と、該演奏ボタン３を叩いたことを感知する感知手段２３と、該感知手段２３が演奏ボタン３の叩きを感知したときには音響発生手段１０に音響を発生させる制御手段５０とを設けた。【選択図】図１
2007334063.tif 000002
【特許請求の範囲】
【請求項１】
以下の要件を備えることを特徴とする音響発生装置。
（イ）上記音響発生装置は音響を発生する装置本体と、該装置本体を棒状部分を有する取付対象に取り付ける取付手段とから構成されていること
（ロ）上記装置本体には、複数の演奏ボタンと、該演奏ボタンを叩いたことを感知する感知手段と、該感知手段が演奏ボタンの叩きを感知したときには音響発生手段に音響を発生させる制御手段とを設けたこと
【請求項２】
前記制御手段は、前記演奏ボタンの叩き操作の強弱で音響発生手段が発生する音響の種類を変える、請求項１記載の音響発生装置。
【請求項３】
前記音響発生装置が発生する音響は複数の音響グループで構成され、該音響グループは任意に選択可能にした、請求項１又は２記載の音響発生装置。
【発明の詳細な説明】
【技術分野】
【０００１】
本発明は、音響発生装置、詳しくは装置本体に設けた演奏ボタンを叩くことにより音響を発生する音響発生装置に関するものである。
【背景技術】
【０００２】
従来、自分のリズムで音を出すことができる楽器として太鼓が知られているが、この太鼓を模して形成された入力装置が提案されている（例えば、特許文献１）。この入力装置は、接続手段によってゲーム装置に接続され、ゲーム装置の入力手段として使用させるようになっているもので、上記ゲーム装置はテレビなどの表示装置に接続され、打楽器音楽ゲームなどを遊技できるようにしたものである。
【特許文献１】特開２００６−８６００９号公報
【発明の開示】
【発明が解決しようとする課題】
【０００３】
本発明が解決しようとする問題点は、上述の入力装置は太鼓を模して形成された入力装置を叩くことにより、その叩いた情報がゲーム装置に入力され、打楽器音楽ゲームができるようになっているが、このゲームを楽しむためにはゲーム装置や表示装置が必要になり、その打楽器を叩いて遊ぶ場所は、屋内に限定され自由に持ち歩いて何処ででも楽しむことができない点であった。
【０００４】
本発明は、上記問題点を解決し、屋内などの限られた場所だけではなく、屋外や乗り物の中など任意の場所で自分のリズムで音響を発生させて楽しむことができる音響発生装置を提供することを課題とする。
【課題を解決するための手段】
【０００５】
前記課題を解決するために本発明に係る音響発生装置は、以下の要件を備えることを特徴とする。
（イ）上記音響発生装置は装置本体と、該装置本体を棒状部分を有する取付対象に取り付ける取付手段とから構成されていること
（ロ）上記装置本体には、複数の演奏ボタンと、該演奏ボタンを叩いたことを感知する感知手段と、該感知手段が演奏ボタンの叩きを感知したときには音響発生手段に音響を発生させる制御手段とを設けたこと
【０００６】
なお、前記制御手段は、前記演奏ボタンの叩き操作の強弱で音響発生手段が発生する音響の種類を変えることが好ましい。
【０００７】
また、前記音響発生装置が発生する音響は複数の音響グループで構成され、該音響グループは任意に選択可能にしてもよい。
【発明の効果】
【０００８】
請求項１の発明によれば、装置本体を取付手段で棒状部分を有する取付対象に取り付けることにより、その取付対象が自動車のステアリングホイールのようなものであれば、自動車で移動して、移動先で音響を発生させて楽しむことができ、室内などの限られた場所だけではなく、屋外や乗り物の中など任意の場所で自分のリズムで音響を発生させて楽しむことができる。
【０００９】
請求項２の発明によれば、演奏ボタンの叩き操作によって同じ演奏ボタンでありながら異なる音響が発生し、演奏ボタンに対応して単に音響が発生することがないようにしたので、演奏ボタンを叩く楽しさが倍増する。
【００１０】
請求項３の発明によれば、発生する音響がグループ化され、そのグループを任意に選択することにより、いつも同じ音響で飽きてしまうことのない音響発生装置を提供することができる。
【発明を実施するための最良の形態】
【００１１】
図１において符号Ａは本発明に係る音響発生装置を示し、この音響発生装置Ａは音響を発生する装置本体１と、この装置本体１を棒状部分を有する取付対象Ｂ（例えば、自動車のステアリングホイール等）に取り付けるための取付手段（アタッチメント部材）２とで構成され、装置本体１をアタッチメント部材２で取着対象に取り付けた状態で前面に配置された大きな演奏ボタン３を叩くと、叩いたタイミングに同期して音響が発生するようになっているものである。
【００１２】
装置本体１は、図２に示すように、下ケース５と上ケース６とから箱状に形成され、下ケース５の中央には下方に膨出して音響発生手段であるスピーカ１０を収容する収容部１１が、上ケース６には電池を収納する電池ボックス１２が、前面には演奏ボタン３を収容する円形のガイド枠１３と、化粧板１４の前面を露出させる方形の開口部１５とが形成され、内部には回路基板２０が収容されている。この回路基板２０には電源ボタン２１、感度セレクトボタン２２に対応したスイッチ３２、５１が配置され、演奏ボタン３に対応して配置され、演奏ボタン３を叩いたことを感知する感知手段であるセンサ２３および、音響グループを選択する音響セレクトボタン２４、音量ボタン２５に対応して配置されたタクトスイッチ２７、２８、電源オン状態を表示するＬＥＤ２９が配置された小基板３０が接続されている。
【００１３】
そして、演奏ボタン３とセンサ２３とはクッション３１とともに重ねた状態で上記ガイド枠１３に収容され、演奏ボタン３の前面はガイド枠１３から突出し、小基板３０に対応した化粧板１４が開口部１５から露出するようになっている。
【００１４】
アタッチメント部材２は、装置本体１の両側面に取り付けられるアーム部材３５（左側面に取り付けられる左アーム部材３５ａと、右側面に取り付けられる右アーム部材３５ｂ）と、このアーム部材３５に一端が固定され、棒状の取付対象に巻き回す帯部材３６とで構成されている。
【００１５】
アーム部材３５は上面が開口した箱状に形成され前後に帯部材３６を通す挿通口３７、３８が形成され、左右の側壁の上部は取付対象からずれないように円弧状の切り欠き３９が形成されている。
【００１６】
帯部材３６は合成皮革のベルト４０の裏側面にフックが形成されたマジックテープ（登録商標）４１と、ループが形成されたマジックテープ（登録商標）４２とが接着剤や縫合などの適宜手段で取り付けられ、アーム部材３５の後方の挿通口３７から差し込まれた帯部材３６の端部は固定板４３でアーム部材３５にネジ止めされている（図１参照）。
【００１７】
図３は、音響発生装置Ａの電気的構成を説明するブロック図で、符号５０は、制御プログラムや音響データを内部メモリに記憶し、音響発生装置Ａ全体を制御するプログラマブル音声合成ＩＣ（制御手段）、符号５１は音響セレクトボタン２４に対応し、サウンドグループ（例えば、人や動物の声などのノーマル系、太鼓や笛などの音で構成されたサンバ調のラテン系、マシンガンの音や破壊音などのアタック系等）を選択するセレクトスイッチ、符号５２はセレクトスイッチ５１に対応し、センサ２３であるピエゾスイッチの出力信号を取り込むか否かを判断する閾値を設定し、出力信号の電圧が閾値を超えた場合にのみ出力信号が発生するようにした閾値回路、符号５３、５４は閾値回路５２の出力信号の大きさを所定値と比較する第１と第２との比較回路を示し、小さな出力信号であれば第１の比較回路５３が作動し、大きな出力信号であれば第１の比較回路５３、第２の比較回路５４の両方の比較回路が作動するように設定されている。
【００１８】
上記設定により、制御手段５０は、同じ音響グループであっても演奏ボタン３を叩く強さに対応してセンサ２３から出力される出力信号の大小により出力する音響を変えるようになっている。例えば、ノーマル系を選択した場合、左の音響ボタンを軽く叩くと「犬」の鳴き声で、右の音響ボタンを軽く叩くと「アヒル」の鳴き声が出力され、左の音響ボタンを強く叩くと「象」の鳴き声で、右の音響ボタンを強く叩くと「羊」の鳴き声が出力されるようになっていればよい。
【００１９】
次に、上記構成の音響発生装置Ａを、取着対象として自動車のステアリングホイールＢに取り付けて使用する場合について、図４に基づいて説明する。先ず直進する方向にステアリングホイールＢを回し、アーム部材３５の切り欠き３９をステアリングホイールＢの周面にあてがい、ベルト４０をステアリングホイールＢに、巻き回してアーム部材３５の手前側の挿通口３７から引き出すとともに折り返し、テープ４１をテープ４２に重ね合わせれば、図５に示すように、装置本体１をステアリングホイールＢに取付手段２で固定することができる。
【００２０】
音響発生装置ＡをステアリングホイールＢに取り付けた状態では、前面から演奏ボタン３の叩き操作ができるとともに、音響セレクトボタン２４、音量ボタン２５が操作でき、図６に示すように、装置本体１の底面がステアリングホイールＢの中心を向いているので、下側から電源ボタン２１、感度セレクトボタン２２の操作できるようになっている。
【００２１】
音響発生装置Ａを、使用する場合は電源ボタン２１をスライド操作し、電源スイッチ３２をＯＮすると、ＬＥＤ２９が点灯し、使用できる状態になったことが目で確認できる。
【００２２】
次に、音量ボタン２５と音響セレクトボタン２４と感度セレクトボタン２２とで音量と音響の種類と感度とを設定する。なお、自動車に搭載されているオーディオ装置から音楽を流しているときには、その音楽にマッチした音響グループを音響セレクトボタン２４で選択してもよい。
【００２３】
上述の音響発生装置Ａによれば、ドライブに出かけて途中のパーキングエリアに駐車して休憩する際など、オーディオ装置から出力されている音楽のリズムに合わせて、図７に示すように、演奏ボタン３を叩くと、演奏ボタン３を叩いたことがセンサ２３で検出され、このセンサ２３の検出信号はＣＰＵ５０で、どちらの操作ボタンを叩いたのか、叩いた強さはどうだったのかが認識され、センサ２３のＯＮしたタイミングで音響信号Ｖｏが出力される。この音響信号Ｖｏはスピーカ１０から音響として出力されるので、リズムをとって演奏ボタン３を叩くことにより、叩いたリズムで所定の音響が出力され、心地よい気分になり気分転換を図ることができ、運転中の疲労が癒され、リフレッシュした気持ちで次の走行に向かって運転する気持ちになる音響出力装置Ａを実現することができる。
【００２４】
なお、上述の音響出力装置Ａは取付対称Ｂを自動車のステアリングホイールの場合について説明したが、取り付ける対象は自動車のステアリングホイールに限定されるものではなく、取着対象Ｂが棒状のものであれば、図８（ａ）に示すように、乳母車Ｃのハンドル５５に取り付けてもよい。そして、母親が演奏ボタン３を叩いて、幼児の反応を見ながら音響を発生させ、乳母車Ｃに乗せた幼児をあやすようにしてもよいし、図８（ｂ）に示すように、乳母車Ｃのガード枠５６や、室内のベビージム（図示せず）に取り付けて、演奏ボタン３を叩いて発生する音響を幼児が自ら楽しむことができるようにしてもよい。
【００２５】
上述したように、取付対象が棒状のものであれば取付対象は制限されずに自由に取り付けることができ、室内だけではなく戸外でも自分の好みの音響を自分のリズムで楽しむことができる音響発生装置を提供することができる。
【図面の簡単な説明】
【００２６】
【図１】本発明に係る音響発生装置の斜視図
【図２】上記音響発生装置の分解斜視図
【図３】上記音響発生装置の電気的構成を説明するブロック図
【図４】上記音響発生装置をステアリングホイールに取着する方法を説明する正面側斜視図
【図５】上記音響発生装置をステアリングホイールに取着した状態を説明する正面側斜視図
【図６】上記音響発生装置をステアリングホイールに取着した状態を説明する背面側斜視図
【図７】上記音響発生装置の使用状態を説明する斜視図
【図８】（ａ）（ｂ）は上記音響発生装置の他の使用状態を説明する斜視図
【符号の説明】
【００２７】
１    装置本体
２    取付手段（アタッチメント部材）
３    演奏ボタン
１０    音響発生手段（スピーカ）
２３    感知手段（センサ）
５０    制御手段
Ａ    音響発生装置
Ｂ    取付対象
【図１】
2007334063.tif 000003
【図２】
2007334063.tif 000004
【図３】
2007334063.tif 000005
【図４】
2007334063.tif 000006
【図５】
2007334063.tif 000007
【図６】
2007334063.tif 000008
【図７】
2007334063.tif 000009
【図８】
2007334063.tif 000010